(57)【要約】【課題】バケットコンベアにおいて、バケットとバケットを接続した無端ベルトとの間に、バケットから排出した搬送物が挟み込まれないようにする。【解決手段】上下１対のプ−リ−と、該上下１対のプ−リ−に掛け回された無端ベルトと、該無端ベルトの長手方向に沿って所定の間隔をおいて取り付けられた複数のバケットとからなるバケットコンベアにおいて、前記バケット２の搬送物６をベルト１から離れた位置に排出できるように、バケット２内面のベルト１に近い上端部分２ａに、ベルト１の幅方向に沿って堰状体３を設け、ベルト１とバケット２との間に、バケット２から排出される搬送物６が挟み込まれるのを防止するようにし、バケット２の外面下端部２ｂに、ベルト１の幅方向に沿って堰状体４を設け、バケット２に搬送物６を受け入れ時に、搬送物６がベルト１とバケット２との間に挟み込まれるのを防止するようにしたバケットコンベア。【選択図】　　　　　　図１
2004018245.tif 000002
【特許請求の範囲】
【請求項１】
上下１対のプ−リ−と、該上下１対のプ−リ−に掛け回された無端ベルトと、該無端ベルトの長手方向に沿って所定の間隔をおいて取り付けられた複数のバケットとからなるバケットコンベアにおいて、前記バケットの搬送物をベルトから離れた位置に排出できるように、前記バケット内面の前記ベルトに近い上端部分に、ベルトの幅方向に沿って堰状体を設け、前記ベルトと前記バケットとの間に、バケットから排出される搬送物が挟み込まれるのを防止するようにし、前記バケットの外面下端部に、ベルトの幅方向に沿って堰状体を設け、前記バケットに搬送物を受け入れ時に、搬送物が前記ベルトとバケットとの間に挟み込まれるのを防止するようにしたことを特徴とするバケットコンベア。
【請求項２】
上下１対のプ−リ−と、該上下１対のプ−リ−に掛け回された無端ベルトと、該無端ベルトの長手方向に沿って所定の間隔をおいて取り付けられた複数のバケットとからなるバケットコンベアにおいて、隣り合うバケット間にベルトを覆うように板体を連結したことを特徴とするバケットコンベア。
【発明の詳細な説明】
【０００１】
【産業上の利用分野】
この発明は、バケットコンベアに関する。
【０００２】
【従来の技術】
廃棄物を溶融処理する溶融炉においては、廃棄物や副原料を溶融炉に装入するために、バケットコンベアが使用される。そのようなバケットコンベアとしては、特開２００２−１９９４２号公報に開示されたものがある。このバケットコンベアは、図３に示すように、下部周面に供給口３６を、上部周面に排出口３７を夫々設けた上下方向に長いケース２１と、ケース２１内のプーリ２２、２３に掛け回した上下方向に回転する無端帯（無端ベルト）２５と、無端帯２５に所定間隔を置いて複数設けたバケット２４とを有するものである。
【０００３】
このバケットコンベアにおいては、供給口３６からケース２１内に供給された搬送物は、バケット２４に収容され上方へと搬送されていく。そして、バケット２４がケ−ス２１の上端部分に設けられたプーリ２２を通過すると、それまで上方に位置していたバケット２４の出口が、反転して下方を向くようになるので、バケット２４内の搬送物は、バケット２４から排出口３７に排出される。
【０００４】
【発明が解決しようとする課題】
上述した従来のバケットコンベアには、次のような問題点がある。
【０００５】
通常バケットは、無端ベルトと１ケ所で接続されているので、無端ベルトとバケットとの間には、わずかではあるが隙間がある。そのため、搬送物をバケットから排出口に排出するとき、または搬送物を供給口からバケットに受け入れるときに、搬送物が無端ベルトとバケットとの隙間に挟み込まれることがある。
【０００６】
粒度の大きい搬送物が挟み込まれると、ベルトを圧迫してベルトに損傷を与えるので、ゴム製のベルトの場合、寿命が大幅に短縮される。金属製のベルトを使用すれば、このような問題はある程度解消されるが、費用が高くつく。
【０００７】
また、バケットとバケットの間隔を大きくして、搬送物が容易に挟み込まれないようにすることもできるが、この場合には搬送物の搬送能力が低下するので、バケットコンベアを大型にする必要があり、設備費用が増大する。
【０００８】
この発明は、従来技術の上述のような問題点を解消するためになされたものであり、処理能力を低下させることなく、バケット内の搬送物が無端ベルトとバケットとの隙間に挟み込まれるのを防止することができるバケットコンベアを提供することを目的としている。
【０００９】
【課題を解決するための手段】
この発明に係る第一のバケットコンベアは、上下１対のプ−リ−と、該上下１対のプ−リ−に掛け回された無端ベルトと、該無端ベルトの長手方向に沿って所定の間隔をおいて取り付けられた複数のバケットとからなるバケットコンベアにおいて、前記バケットの搬送物をベルトから離れた位置に排出できるように、前記バケット内面の前記ベルトに近い上端部分に、ベルトの幅方向に沿って堰状体を設け、前記ベルトと前記バケットとの間に、バケットから排出される搬送物が挟み込まれるのを防止するようにし、前記バケットの外面下端部に、ベルトの幅方向に沿って堰状体を設け、前記バケットに搬送物を受け入れ時に、搬送物が前記ベルトとバケットとの間に挟み込まれるのを防止するようにしたものである。
【００１０】
このバケットコンベアにおいては、堰状体をバケット内面の前記ベルトに近い上端部分に設けているので、バケット内の搬送物はこの堰状体を乗り越えてベルトから離れた位置に排出されるので、搬送物がバケットからベルト上に排出されることがなくなり、排出時の挟み込みを防止できる。
【００１１】
また、このバケットコンベアにおいては、堰状体をバケットの外面下端部に設けているので、搬送物をバケットに受け入れる時に、バケットの外部に落ちた搬送物は、外面の堰状体を乗り越えなければならないので、後続するバケットにおいて搬送物がバケッとトベルトの間に落ちることはなく、受け入れ時の挟み込みも防止できる。
【００１２】
また、この発明に係る第２のバケットコンベアは、上下１対のプ−リ−と、該上下１対のプ−リ−に掛け回された無端ベルトと、該無端ベルトの長手方向に沿って所定の間隔をおいて取り付けられた複数のバケットとからなるバケットコンベアにおいて、隣り合うバケット間にベルトを覆うように板体を連結したものである。
【００１３】
このバケットコンベアにおいては、バケット間に連結された板体で、ベルトを覆っているので、受け入れ時も排出時も挟み込みが発生することはない。
【００１４】
【発明の実施の形態】
本発明の実施の形態を図面を参照して説明する。本発明のバケットコンベアにおいては、従来のバケットコンベアと比較して、バケットまたはバケットとバケット間の構造にのみ特徴があるので、その部分のみを説明し、他の部分の詳細説明は省略する。
【００１５】
図１は本発明のバケットコンベアの第１の実施の形態の説明図であり、（ａ）はバケットコンベアの排出口の一部側断面図、（ｂ）はバケットコンベアの受入口の一部側断面図である。このバケットコンベアにおいては、ベルト１に取り付けられたバケット２の上端開口部２ａのベルト１に近い内面側に、ベルト１の幅方向に沿って、山型鋼３を固着するとともに、バケット２の下端部外面２ｂに山形鋼４を固着している。
【００１６】
このバケットコンベアにおいては、バケット２が上部プ−リ−５を通過して反転し、バケット２内の搬送物６が排出口７に排出されるとき、搬送物６は山形鋼３を乗り越えなければならないので、搬送物６がベルト１から離れた位置に排出される。したがって、搬送物６がベルト１と先行するバケット２との間に挟み込まれることはない。
【００１７】
また、バケット２が下部プ−リ−８を通過して反転し、供給口９からバケット２に搬送物６を受け入れるときには、供給口９からの搬送物６は、先行するバケット２の下端部外面２ｂに固着された山形鋼４を乗り越えて後続のバケット２に収容されるので、搬送物６がベルト１に当たることはなく、受け入れ時にも搬送物６がベルト１と後続するバケット２との間に挟み込まれることはない。
【００１８】
なお、この場合、山形鋼３および４に代わって、目的にかなう他の形状体を使用してもよい。
【００１９】
図２は本発明のバケットコンベアの第２の実施の形態の説明図であり、（ａ）はバケットコンベアの排出口の一部側断面図、（ｂ）はバケットコンベアの受入口の一部側断面図である。このバケットコンベアにおいては、ベルト１に取り付けられた隣り合うバケット２間に、ベルト１を覆うゴム板１０を配置し、留め具により連結している。留め具は、例えばバケット２をベルト１に連結するボルトを利用すればよい。
【００２０】
このバケットコンベアにおいては、ベルト１をゴム板１０で全面的に覆っているので、搬送物６の受け入れ時および排出時とも、搬送物６がベルト１とバケット２との間に挟み込まれることはない。なお、この場合も、ゴム板１０に代わって目的のかなう他の板体を使用してもよい。
【００２１】
【発明の効果】
本発明により、搬送物の挟み込みが無くなるので、ゴム製のベルトを使用した寿命の長いバケットコンベアを得ることができる。
【図面の簡単な説明】
【図１】本発明のバケットコンベアの第１の実施の形態の説明図であり、（ａ）はバケットコンベアの排出口の一部側断面図、（ｂ）はバケットコンベアの受入口の一部側断面図である。
【図２】本発明のバケットコンベアの第２の実施の形態の説明図であり、（ａ）はバケットコンベアの排出口の一部側断面図、（ｂ）はバケットコンベアの受入口の一部側断面図である。
【図３】従来のバケットコンベアの側面図である。
【符号の説明】
１　ベルト
２　バケット
３　山型鋼
４　山形鋼
５　上部プ−リ−
６　搬送物
７　排出口
８　下部プ−リ−
９　供給口
１０　ゴム板
【図１】
2004018245.tif 000003
【図２】
2004018245.tif 000004
【図３】
2004018245.tif 000005